Podtech/llm-jp-corpus-v4-ja_patent huggingface dataset:
(57)【要約】【課題】  左右のクランクを変形させて、チェーンリング回転軸への取り付け位置を傾ける事により、踏み込みペダルの円周軌道上で、無力になる瞬間を無くし、負荷状況走行を緩和するクランクを提供する。【解決手段】  自転車クランクの形状を変形させ、踏み込む側変形クランク（１）を、チェーンリング回転軸（８）の進行方向に傾けて取り付け、また反対側引きあがる側変形クランク（２）を、１８０度対称的にチェーンリング回転軸（８）に取り付ける事により、足が踏み込む力（Ａ）は、ペダル（３）（４）の円周軌道上如何なる位置でも、交互にチェーンリング回転力（Ｃ）へ伝わり、無力になる瞬間を無くす様設ける。また、変形クランク（１）（２）は、柔軟な可動域を有した素材とすることにより、湾曲のある形状と合わせて、足裏との伸展反発による自走行性も増し、そして路面等の衝撃を足裏に伝えにくく和らげる効果もある、自転車楽々変形クランクを特徴とする。【選択図】図１
2020001670.tif 000002
【特許請求の範囲】
【請求項１】
［図１］に記すように、自転車を走行させるための左右ペダル（４）（３）の力を、チェーンリング（７）に伝えるための、クランク（２）（１）の形状及び取り付け位置を、左右のペダル軸（６）（５）を結ぶ直線と、チェーンリング回転軸（８）の接点上に、クランク（２）（１）を取り付けるのではなく、変形させる事により、踏み込む側変形クランク（１）は、チェーンリング回転軸（８）の進行方向側に傾けて取り付け、また引きあがる側変形クランク（２）は、踏み込む側変形クランク（１）に対して、１８０度対称的に取り付ける事により、左右ペダル（４）（３）が円周軌道上の如何なる位置にあっても、どちらかの片足が踏み込む力（Ａ）を、常時交互にチェーンリング（７）に、回転力を伝えることが出来る事を特徴とする、自転車楽々変形クランク。
【請求項２】
左右の変形クランク（２）（１）の材質を、柔軟な可動域を有した、請求項１の自転車楽々変形クランク。
【請求項３】
足が踏み込む力（Ａ）によるペダルを使用して、伝達走行するすべての乗り物に適応される、請求項１の自転車楽々変形クランク。
【発明の詳細な説明】
【技術分野】
【０００１】  この発明は、自転車走行中に負荷がかかった際でも、楽に自力走行できる様にした変形クランクに関するものである。
【背景技術】
【０００２】  従来ある自転車クランクは、踏み込み最上部付近に片足が来た際、どうしても足の踏み込む力が、チェーンリング回転軸に向かうため、前進のための力が無の状態が必ずできてしまう。
【先行技術文献】
【特許文献】
【０００３】
【特許文献１】特開２０１３−０９５４１２公報
【発明の概要】
【発明が解決しようとする課題】
【０００４】  従来の技術は、次のような欠点があった。
自転車ペダルを踏みながらの走行中、両足で交互にペダルを踏み込む間に、必ず力が無になる瞬間が、構造上できてしまうと考えられる。これは、左右のペダル軸を結んだ直線上のチェーン回転軸に、クランクが接続してあるために起こる現象であり、この無力の瞬間は平たん走行中には気になる事もないが、常にペダルを踏みこんで走行しなくてはならない坂を登るような負荷状況においては、必ず両足の力がチェーンリング回転力を伝えられない、無力の瞬間を痛感させられる。本発明は、以上のような欠点をなくすためになされたものである。
【課題が解決するための手段】
【０００５】  自転車を前進走行させるためのペダル（３）（４）により、足が踏み込む力（Ａ）を、チェーンリング（７）に伝えるための、チェーンリング回転軸（８）に取り付けてあるクランクの形状は、従来はペダル軸（５）（６）それぞれから、チェーンリング回転軸（８）である、円周運動の中心に一直線に向かってあり、足が踏み込む力（Ａ）が、チェーンリング回転軸（８）に一直線に向かった瞬間、チェーンリング回転力（Ｃ）として伝わらないで、すなわち無力の瞬間が起きる。そこで従来のペダル軸（５）（６）を直線で結ぶ形状の直線クランクを、変形クランク（１）（２）の様に変形させ、従来のクランク取り付け位置よりも、チェーンリング回転軸（８）の進行方向に、踏み込む側変形クランク（１）を傾けて取り付け、また反対側引きあがる側変形クランク（２）を、１８０度対称的にチェーンリング回転軸（８）に取り付ける事により、従来のクランクでは無力の瞬間が発生したペダル位置でも、またはペダル（３）（４）の円周軌道上如何なる位置においても、足が踏み込む力（Ａ）はチェーンリング回転軸（８）に一直線に向かうことなく、常時交互に変形クランク回転方向（Ｂ）に力がかかる様になり、ペダル（３）（４）が円周運動する中で、チェーンリング回転力（Ｃ）に対して無力になる瞬間を無くす様設ける。また、変形クランク（１）（２）は、柔軟な可動域を有した素材とすることにより、湾曲のある形状と合わせて、足裏との伸展反発による自走行性も増し、そして路面等の衝撃を足裏に伝えにくく和らげる効果もある。
本発明は、以上の構成によりなる自転車楽々変形クランクである。
【発明の効果】
【０００６】  従来ある自転車の様に、左右のペダルとチェーンリング回転軸（８）をつなぐ直線的形状のクランクではなく、変形クランク（１）（２）の様に、チェーンリング回転軸（８）への取り付けを傾ける形状にする事により、ペダル（３）（４）が円周軌道上如何なる位置であっても、常時交互に踏み込む力（Ａ）がチェーンリング（７）に力が伝わり、今までの様な負荷走行時においても、常時無力の瞬間がなくなり楽に走行ができ、形状と素材による自走行及びクッション性が増し、また現在持っている自転車を改造する場合でも、容易に交換でき廉価で提供ができると考える。
また本発明は自転車だけに限らず、ペダルの円周運動を利用して走行する、他の乗り物にも適用できる。
【図面の簡単な説明】
【０００７】
【図１】  本発明の自転車楽々変形クランクの側面図である。
【図２】  本発明の自転車楽々変形クランクの平面図である。
【発明を実施するための形態】
【０００８】  以下、本発明を実施するための形態について説明する。
［図２］に記すように、チェーンリング回転軸（８）の右端に、そして［図１］に記すように踏み込み側変形クランク（１）の一端を、踏み込んで前進回転するように、向かって進行方向に凸部を向け取り付け、もう一方の引きあがる側の変形クランク（２）の一端は、チェーンリング回転軸（８）の左端に、踏み込み側変形クランク（１）とは対称に、向きを１８０度変えて取り付ける。そして［図２］に記すように、その変形クランク（１）（２）のもう一端には、外向きに回転するペダル（３）（４）を取り付ける。
本発明は、以上の構成による自転車楽々変形クランクである。
【符号の説明】
【０００９】  １  踏み込む側変形クランク
２  引きあがる側変形クランク
３  右ペダル
４  左ペダル
５  右ペダル軸
６  左ペダル軸
７  チェーンリング
８  チェーンリング回転軸
９  チェーン
１０  フレーム
Ａ  足が踏み込む力
Ｂ  変形クランク回転方向
Ｃ  チェーンリング回転力
【図１】
2020001670.tif 000003
【図２】
2020001670.tif 000004
(57)【要約】【課題】鍋にお玉を入れたままで調理するとお玉や菜箸が鍋の中に転落する。鍋にお玉や菜箸を入れたまま火にかけるとお玉の取っ手や菜箸を焦がすことがある。【解決手段】鍋の淵に耐熱鋼を用いた引っ掛ける部分を形成し鍋蓋を閉じることができる。磁石を用。らお玉の取っ手や菜箸を守る器具を提供する。動物のキャラクターを用いて前後を分かりやすくする。【選択図】  図５
2020171533.tif 000002
【特許請求の範囲】
【請求項１】
鍋淵に固定する引っ掛ける部分で鍋に安定できお玉を保持する部分を成形してお玉の取っ手をガス火の高熱から保護するお玉受け器具。
【請求項２】
磁石を用いて鍋の側壁に吸着させるお玉受け器具。
【請求項３】
動物やヒーローなどのキャラクターを前面に用いて前後を分かりやすくするお玉受け。
【発明の詳細な説明】
【技術分野】
【０００１】
本発明は、お玉や菜箸などをお鍋に掛けたときお玉などをガス火などで焦がさずお玉を保持する器具に関する。
【背景技術】
【０００２】
従来、お玉を用いる際にお玉を安定して置くために皿状のお玉受けを用意して外に置く例が多かった。以上からお玉受けは場所を取り邪魔になっていた。
現実にはお玉を鍋に掛けたままでガス火にかけて温める例が多く見られた。その場合お玉は鍋の中で滑るためプラスチックや木製のお玉の取っ手が鍋の淵に掛りガス火で焦げたり燃える事故も起きていた。
お鍋が大きい場合はお玉自体が鍋の中に落ちてしまう場合もあった。
それを防ぐためにお玉の柄に鍔状の器具を付けて鍋の中に落ちないように工夫した器具も見られた。
また鍋の取っ手部分にお玉の柄と取っ手を収容する溝を設ける例もあった（例えば、特許文献１参照）。
【特許文献１】特開２００４−３１３６９８号公報
【発明の概要】
【課題を解決するための手段】
【０００３】
鍋の淵に引っ掛けて落下を防止する部分と磁石を用いて固定する部分とお玉の取っ手を保持する部分とで形成する。お玉を保持する部分はガス火がお玉の取っ手や菜箸に直接当たらないようにある程度の高さと、例えガス火の高熱が当たっても保持する部分を保護する幅を持たせる。
引っかける部分は耐熱鋼であるステンレスなどを用いるので焦げることも燃えることも無い。お玉を保持する部分は耐熱鋼または陶器製なので焦げることも燃えることもない。
【０００４】
本発明の下部に磁石を設置して鍋に吸着させて安定させる。
【０００５】
陶器部分は動物のキャラクターを用いることもできて前後の方向が分かりやすく鍋に設置する場合に間違えにくくする。
【発明が解決しようとする課題】
【０００６】
以上に述べた特許文献では、お玉を鍋淵に安定して設置するためにお鍋の取っ手の上に設置する溝を設け取っ手を鍋の取っ手に収容するものであった。しかし鍋ごとに設置するのは高価となり煩雑であった。取っ手を握り難くして安全性を損なう危険もあった。
【０００７】
本発明は、このような従来の構成が有していた問題を解決しようとするものであり、いかなる鉄鍋やステンレス鍋などに於いてもお玉を安定して置き、お玉の取っ手をガス火などから保護することを目的とするものである。
本発明は上記目的を達成するために鍋の淵に掛ける部分と鍋に固着する磁石とお玉などを受ける部分とで構成する。
【発明の効果】
【０００８】
磁石により固定するので本発明は鍋に安定的に設置できる。
【０００９】
本発明は安定してお玉を受けて鍋内に落ちることがない。
【００１０】
本発明によりお玉などの取っ手をガス火の高熱から遠ざけ且つ炎の熱を遮るので保護できる。
【００１１】
キャラクター付きの場合の本発明は顔があるので使用するときに前後を間違えにくくする効果がある。
【図面の簡単な説明】
【００１２】
【図１】本発明を耐熱鋼を用いて実施した斜視図
【図２】図１の実施例の側面図
【図３】キャラクターを用いた本発明の実施例の正面の斜視図
【図４】キャラクターを用いた本発明の実施例の裏面の斜視図
【図５】本発明のキャラクター付き本体を陶器などで成形し、お玉を置いた透視側面図
【図６】本発明のキャラクター付き本体を陶器などで成形し、お玉を置いた斜視図
【図７】本発明のキャラクターの無い実施例を陶器などで成形し、お玉を置いた透視側面図
【発明を実施するための形態】
【００１３】
以下、本発明の実施の形態を図１〜図７に基づいて説明する。
【００１４】
図においては、１は鍋の上縁に引っ掛ける部分である。
【００１５】
２は本発明の本体である。
【００１６】
３は鍋の側壁に吸着する磁石である。
【００１７】
４はお玉などを置く部分であって５の側面の立ち上げ部分の底になる。
【００１８】
５はお玉の取っ手を掛ける側面の部分である。
【００１９】
６はお玉本体である。
【００２０】
７はお玉の取っ手である。
【００２１】
８はお鍋の側壁である。
【符号の説明】
【００２２】
１  鍋の淵に固定するひっかけ部
２  本体。
３  鍋の外側に吸着する磁石。
４  お玉の柄部分を支える溝状の底部
５  お玉の取っ手を止める立ち上がり
６  お玉
７  お玉の取っ手
８  鍋の側壁
【図１】
2020171533.tif 000003
【図２】
2020171533.tif 000004
【図３】
2020171533.tif 000005
【図４】
2020171533.tif 000006
【図５】
2020171533.tif 000007
【図６】
2020171533.tif 000008
【図７】
2020171533.tif 000009
(57)【要約】【課題】    高齢者や身体障害者では、水洗トイレを使用する際に、臀部の位置の調整が難しい人がいて、場合により介助者が抱きかかえて臀部の位置調整を行う必要があった。   【解決手段】  便座の背中側に、上部が柔らかく下側になるに従って硬度が増す、すり鉢状の  臀部ガイドを設定し、臀部受け部はエアウイーブ（商標登録）等の柔らかい受  け部を設定し、また少し足を開いたときに両足のそれぞれの腿から膝にかけて  の下側に、同様な柔らかい受け部を設定する。【選択図】  図１
2020171540.tif 000002
【特許請求の範囲】
【請求項１】
水洗トイレの便座に、個人の臀部の寸法と形状に合わせたすり鉢状のガイドを設定し、正確な臀部の位置決めが可能なパーソナル水洗トイレであって、臀部からひざ下までの受け部をエアウイーブ（商標登録）等の柔らかい素材にしたパーソナル水洗トイレ。
【発明の詳細な説明】
【技術分野】
【０００１】
本発明は水洗トイレにおいて、便座上の臀部の位置を正確に設定する技術に関するものである。
【背景技術】
【０００２】
従来の水洗トイレは、不特定な人が使う前提であり、太った人の特大なお尻や子供の小さなお尻にも対応するために、特に臀部の位置決めのようなものはなかった。
【先行技術文献】
【特許文献】
【０００３】
【特許文献１】特開２００９−２８４９１７
【発明の概要】
【発明が解決しようとする課題】
【０００４】
高齢者や身体障害者では、水洗トイレを使用する際に、臀部の位置の調整が難しい人がいて、場合により介助者が抱きかかえて臀部の位置調整を行う必要があった。また、特に体の大きな人は、相対的に座る受け面積が狭くなり、臀部が痛くなるという欠点があった。
【課題を解決するための手段】
【０００５】
一人の個人用途の水洗トイレ限定で、すなわちパーソナルトイレに限定で、便座にその個人のお尻と太腿の寸法・形状に合わせた受け面を立体的にした位置決め構造を設定し、さらに該位置決め構造の間口を広く取り、すり鉢状にすることでその付近部に腰掛けると重力によって、自然と臀部の位置が設定されるようにする。
【発明の効果】
【０００６】
本発明により、高齢者や身体障害者で、臀部の位置の微妙な調整が難しい、あるいは調整ができるが大変な労力を必要とする場合等では、介助者の有無、
あるいはベッドと便座間の移動アシスト機構の有無に関わらず、臀部の位置決めが楽になる。また、従来の汎用便座に比べ、立体的にかつ広い面積で臀部全体と太腿部全体を包み込む用に受ける為、支える力が分散し、便座に長時間座っていても臀部が痛くなるようなことがなくなる。
【図面の簡単な説明】
【０００７】
【図１】本発明の概要を示す。
【発明を実施するための形態】
【０００８】
便座の背中側に、あらかじめ個人の臀部と太腿部の形状の画像や細かな寸法計測により得られた立体的な臀部及び太腿部の受け面をもち、上部が柔らかく下側になるに従って硬度が増す、すり鉢状の臀部ガイドを設定し、臀部受け部はエアウイーブ（商標登録）等の柔らかい受け部を設定し、また少し足を開いたときに両足のそれぞれの腿から膝にかけての下側に、同様な柔らかい受け部を設定する。
従来は一体構造物における部分部分での硬度の違いを得ることは難しかったが、3Dプリンターにより硬度の自由な配分が可能になったため、臀部ガイドの上部を柔らかくすることで臀部がぶつかっても痛くないようにし、また臀部ガイドの下部は臀部が安定的に保持されるような硬度に設定できるようになった。
【０００９】
図1において、便座2の背中側に、すり鉢状で上側が柔らかく、下側になるに従って硬度が増す、臀部ガイド1を設定し、人がベッド5からラフに便座2側に移動した場合にも、該臀部ガイド1により、臀部が排泄間口3のセンターに正確に収まり、排泄時の失敗がなくなる。
尚、臀部ガイド1は上部が柔らかく、お尻を移動するときにぶつかっても、基本的に折れ曲がり、乗り越えることが容易であるが、よりスムーズな臀部の移動を果たすために、該ベッド5側の該臀部ガイド1の一部に切り欠きを入れる等で、他の部分よりも低く設定してもよい。
該臀部ガイド1は、臀部の位置決めのみならず、丸みのあるお尻の全体と太腿から膝の手前までを包み込むように保持する機能があり、また便座2をエアウイーブ（商標登録）等の柔らかい素材にし、さらに足受け部4によって、膝のすぐ手前までが保持されるため、座り心地が良く、通常の椅子の機能としても長時間座り続けても疲れないようになっている。
【産業上の利用可能性】
【００１０】
本発明により、高齢化や障害をもち、体の移動がスムーズにできない人が、必要に応じ介助者の助けを得ながら、容易に水洗トイレに正確に座ることが可能となる。また、長時間座っていても、身体に負担がかからず、水洗トイレを快適な椅子としても使用できる。
基本的にパーソナル水洗トイレであるが、介護施設等では、複数の入居者用の個人専用の臀部ガイドを用意しておき、水洗トイレ使用前に、臀部ガイドを使用者専用のものに交換するようなことが考えられる。
他人の座ったところには座りたくないという要望にも応えることができる、いわば交換が簡単にできるパーソナル便座とも言える。
長時間座っていても疲れないので、高齢者プション等で背もたれとひじ掛けを設定すると、例えば高齢になり、体が動かせなくなり排泄の意志が明確でなくなった場合等、朝から晩まで座っていることが可能になり、在宅でも、朝晩にベッドから、あるいはベッドへの移動を家族が行い、昼食時に家族が帰ってくるか、あるいはアルバイトの近所の人や学生等から、食事介助をしてもらう等で、排泄の心配がなくなる（下半身は裸で過ごし、タオルのようなもので、プライバシーを守る。匂いセンサーでウオシュレットシステムが作動する）ため、家族が介護ために仕事や趣味の制限をしなくても済むようになる。また、その高齢者の尊厳が守られるようになる。
【符号の説明】
【００１１】
１  臀部ガイド
２  排泄間口
３  便座
４  足受け部
５  ベッド
【図１】
2020171540.tif 000003